(57)【特許請求の範囲】
【請求項１】
デッキ材の小口面と建物躯体との目地調整及びデッキ材間の目地調整を行うためのデッキ目地調整治具であって、
前記デッキ目地調整治具は、デッキ材の上面に載置される水平板部の上面及び下面のそれぞれに、前記水平板部の面に対して垂直方向に起立する目地挿入部を設け、
前記上下一対の目地挿入部の内の一方は、起立面の片側に凹状の肉抜き分を形成することにより断面略逆Ｌ字状とし、他方は板状として、それぞれの断面形状を異ならせるとともに、目地挿入部の厚みを夫々異ならせたことを特徴とするデッキ目地調整治具。
【請求項２】
前記上下一対の目地挿入部の一方側は、目地挿入部の一側面を前記水平板部の端面と同面としてある請求項１記載のデッキ目地調整治具。
【請求項３】
前記上下一対の目地挿入部の一側面及び前記水平板部の端面をすべて同面としてある請求項１記載のデッキ目地調整治具。
【請求項４】
請求項１〜３いずれかに記載のデッキ目地調整治具を用いてデッキ材の小口面と建物躯体との目地調整を行うデッキ材の目地調整方法であって、前記デッキ目地調整治具の水平板部をデッキ材の小口縁上面に載置しつつ、前記目地挿入部の一方をデッキ材の小口面と躯体との間に挿入し、目地挿入部の一方側の側面をデッキ材に当接させるとともに、他方側の側面を躯体に当接させるようにデッキ材を部材長手方向に移動調整し、デッキ材の小口面と躯体との目地幅を調整することを特徴とするデッキ材の目地調整方法。
【請求項５】
請求項１〜３いずれかに記載のデッキ目地調整治具を用いてデッキ材の小口面同士を対面させた部位の目地調整を行うデッキ材の目地調整方法であって、前記デッキ目地調整治具の水平板部をデッキ材の小口縁上面に載置しつつ、前記目地挿入部の他方をデッキ材の小口面と小口面との間に挿入し、目地挿入部の一方側及び他方側の側面に夫々デッキ材の小口面に当接させるように一方のデッキ材を部材長手方向に移動調整し、デッキ材間の目地幅を調整することを特徴とするデッキ材の目地調整方法。
【発明の詳細な説明】
【技術分野】
【０００１】
本発明は、デッキ材の小口面と建物躯体との目地幅やデッキ材間の目地幅の調整を簡単かつ確実に設定できるデッキ目地幅調整治具及びこれを用いたデッキ材の目地調整方法に関する。
【背景技術】
【０００２】
従来より、戸建て住宅などの庭に、種々の目的で設置されるデッキが知られている。このデッキは、一般的に束柱の上端部に固定される大引間の上面にデッキ材を隣接配置しながら連結固定金具により固定して構築されるが、前記デッキ材の取付構造として種々の方法が提案されている。
【０００３】
例えば、下記特許文献１では、互いに隣接配置される複数のデッキ材を、当該デッキ材と交差して延びる横材上に取付部材を介して取り付けるデッキ材の取付構造であって、前記デッキ材は、全体長尺状で、その長辺方向に沿った両側端縁下部から短辺方向外側に突出する突出片部を有して形成されるとともに、前記側端縁が所定の目地間隔を介して隣接するデッキ材の側端縁と対向配置され、
前記取付部材は、隣接配置される一方および他方の前記デッキ材に跨って設けられるとともに、前記横材に固定される固定片部と、前記一方のデッキ材の突出片部に係合する係合片部と、前記他方のデッキ材の突出片部の上方に位置して当該他方のデッキ材の上方への移動を規制する規制片部とを有して形成され、
前記取付部材の固定片部が前記横材に固定された固定状態において、前記係合片部は、前記一方のデッキ材の突出片部を前記横材に向かって押圧しかつ当該デッキ材の短辺方向への移動を規制可能に当該突出片部に係合し、前記規制片部は、当該規制片部と前記横材の上面との間に前記他方のデッキ材の突出片部を挿通可能に構成されているデッキ材の取付構造が提案されている。
【０００４】
また、下記特許文献２では、根太の一端側と他端側に湾曲係止片を有する中間連結金具を根太に固着し、一端側湾曲係止片を始端デッキ材の根太他端側突条に係止し、他端側湾曲係止片と根太の間に後順位デッキ材の根太一端側突条を押し込んで固定し、以下、終端デッキ材まで、先順位デッキ材の他方側における根太への中間連結金具のねじ止め、一端側湾曲係止片の先順位デッキ材の根太他端側突条への係止及び他端側湾曲係止片と根太の間への後順位デッキ材の根太一端側突条の押し込みを繰り返し、終端デッキ材の根太他端側突条を根太に固定するようにしたデッキにおいて、中間連結金具の根太一端側湾曲係止片に、これを先順位デッキ材の根太他端側突条に係止したときにそのデッキ材の根太他端側に臨むように設けたビス貫通孔からビスを先順位デッキ材にねじ込むようにしたデッキ材の取付構造が提案されている。
【０００５】
上記デッキ材の取付構造においては、デッキ材の取付構造に拘わらず、デッキ材の上面に雨水等が滞留するのを防止するため、デッキ材の小口面又は側縁と建物躯体との間の所定幅の水抜き用目地を形成したり、各デッキ材間にも所定幅の水抜き用目地が設けられる。
【０００６】
従来より、前記目地の設定に当たっては、定規を使用し目地幅を計測して所定の目地幅に調整したり、所定厚の板状材をデッキ材間に挿入して所定の目地幅に調整する方法が採られていた。
【特許文献１】特開２００７−２２４６６６号公報
【特許文献２】特開２００７−２２４５５３号公報
【発明の開示】
【発明が解決しようとする課題】
【０００７】
しかしながら、定規を使用して目地幅を直に計測する方法の場合は、作業が繁雑であるとともに、計測箇所毎に計測手間が掛かるためデッキ材の設置作業を効率化できないなどの問題があった。
【０００８】
また、板状材を使用して所定の目地幅に調整する方法の場合は、各目地幅毎に別々の板材を用意する必要があり管理が煩雑であるとともに、鉛直度が不正確に成り易い、更には不注意によって板状材を目地から落下させることがあるなどの問題があった。
【０００９】
そこで本発明の主たる課題は、１つの目地調整治具によって複数の目地調整が可能であるとともに、鉛直度の確保が容易である、取り扱いが容易である、落下させる虞がないなどの利点を有するデッキ目地幅調整治具及びこれを用いたデッキ材の目地調整方法を提供することにある。
【課題を解決するための手段】
【００１０】
前記課題を解決するために請求項１に係る本発明として、デッキ材の小口面と建物躯体との目地調整及びデッキ材間の目地調整を行うためのデッキ目地調整治具であって、
前記デッキ目地調整治具は、デッキ材の上面に載置される水平板部の上面及び下面のそれぞれに、前記水平板部の面に対して垂直方向に起立する目地挿入部を設け、
前記上下一対の目地挿入部の内の一方は、起立面の片側に凹状の肉抜き分を形成することにより断面略逆Ｌ字状とし、他方は板状として、それぞれの断面形状を異ならせるとともに、目地挿入部の厚みを夫々異ならせたことを特徴とするデッキ目地調整治具が提供される。
【００１１】
上記請求項１記載の発明では、デッキ材の上面に載置される水平板部の上面及び下面のそれぞれに、前記水平板部の面に対して垂直方向に起立する目地挿入部を設けるようにした。従って、前記水平板部をデッキ材の上面に載置させるようにしながら設置できるため、安定性に優れ、鉛直度の確保が容易となるとともに、落下の心配も無くなる。また、上面側の目地挿入部を目地に挿入する場合は下面側の目地挿入部が摘み部となり、下面側の目地挿入部を目地に挿入する場合は上面側の目地挿入部が摘み部となるため、取り扱いも容易となる。
【００１２】
また、前記上下一対の目地挿入部の内の一方は、起立面の片側に凹状の肉抜き分を形成することにより断面略逆Ｌ字状とし、他方は板状として、それぞれの断面形状を異ならせることにより、施工現場で目地挿入部の選択ミスを無くすことができる。さらに、前記上下一対の目地挿入部の厚みを夫々異ならせたことによって、１つの目地調整治具によって複数の目地調整が可能となる。
【００１３】
請求項２に係る本発明として、前記上下一対の目地挿入部の一方側は、目地挿入部の一側面を前記水平板部の端面と同面としてある請求項１記載のデッキ目地調整治具が提供される。
【００１４】
上記請求項２記載の発明は、上下一対の目地挿入部の一方側は、目地挿入部の一側面を前記水平板部の端面と同面としたものである。躯体がデッキ面よりも立ち上がった鉛直壁面となっている場合は、水平板部が邪魔となり目地間に目地挿入部を挿入できなくなるためである。また、躯体壁面との当接部を有することにより、デッキ材を躯体に近接して設置する際の幅決め（スターター）として使用できる。
【００１５】
請求項３に係る本発明として、前記上下一対の目地挿入部の一側面及び前記水平板部の端面をすべて同面としてある請求項１記載のデッキ目地調整治具が提供される。
【００１６】
上記請求項３記載の発明は、前記上下一対の目地挿入部の一側面同士及び前記水平板部の端面を同面としたものである。従って、躯体がデッキ面よりも立ち上がった鉛直壁面となっている場合でも、目地間に目地挿入部をきっちりと挿入できるとともに、前記同面を躯体鉛直壁面に当接させることにより鉛直度の確保が容易となる。また、躯体壁面との当接部を有することにより、デッキ材を躯体に近接して設置する際の幅決め（スターター）として使用できる。
【００１７】
請求項４に係る本発明として、請求項１〜３いずれかに記載のデッキ目地調整治具を用いてデッキ材の小口面と建物躯体との目地調整を行うデッキ材の目地調整方法であって、前記デッキ目地調整治具の水平板部をデッキ材小口縁の上面に載置しつつ、前記目地挿入部の一方をデッキ材の小口面と躯体との間に挿入し、目地挿入部の一方側の側面をデッキ材に当接させるとともに、他方側の側面を躯体に当接させるようにデッキ材を部材長手方向に移動調整し、デッキ材の小口面と躯体との目地幅を調整することを特徴とするデッキ材の目地調整方法が提供される。
【００１８】
請求項５に係る本発明として、請求項１〜３いずれかに記載のデッキ目地調整治具を用いてデッキ材の小口面同士を対面させた部位の目地調整を行うデッキ材の目地調整方法であって、前記デッキ目地調整治具の水平板部をデッキ材の小口縁上面に載置しつつ、前記目地挿入部の他方をデッキ材の小口面と小口面との間に挿入し、目地挿入部の一方側及び他方側の側面に夫々デッキ材の小口面に当接させるように一方のデッキ材を部材長手方向に移動調整し、デッキ材間の目地幅を調整することを特徴とするデッキ材の目地調整方法が提供される。
【発明の効果】
【００１９】
以上詳説のとおり本発明によれば、１つの目地調整治具によって複数の目地調整が可能であるとともに、鉛直度の確保が容易である、取り扱いが容易である、落下させる虞がないなどの利点を有するデッキ目地調整治具を得ることができる。
【発明を実施するための最良の形態】
【００２０】
以下、本発明の実施の形態について図面を参照しながら詳述する。
【００２１】
〔デッキ目地調整治具１〕
図１はデッキ目地調整治具１の斜視図であり、図２はデッキ目地調整治具１を示す正面図、平面図、底面図、側面図である。
【００２２】
デッキ目地調整治具１は、デッキ材の小口面と建物躯体との目地調整及びデッキ材間の目地調整を行うための治具であり、図１に示されるように、デッキ材の上面に載置される水平板部２の上面及び下面のそれぞれに、前記水平板部２の面に対して垂直方向に起立する目地挿入部３，４を設けるとともに、前記上下一対の目地挿入部３，４の厚みを夫々異ならせたものである。
【００２３】
以下、更に具体的に詳述すると、
デッキ目地調整治具１は、素材を樹脂とし、射出成形又は押出し成形によって製造されたピース状の部材である。図２に示されるように、水平板部２の上面側に形成された目地挿入部３は、デッキ材の小口面又は側面と建物躯体との目地調整を行うためのものであり、厚みＡはこの目地幅に設定してある。この目地挿入部３（躯体間目地用）は、一方の側面を前記水平板部２の端面と同面とするように水平板部２上面の片側に寄せた位置に設けられているとともに、目地幅が相対的に大きいため、起立面の片側（外側面）には凹状の肉抜き部３ａを形成し、断面略逆Ｌ字状としてある。
【００２４】
一方、水平板部２の下面側に形成された目地挿入部４は、デッキ材間の目地調整を行うためのものであり、厚みＢはこの目地幅に設定してある。この目地挿入部４（デッキ材間目地用）は、目地幅が小さいため板状とし、一方の側面を前記水平板部２の端面及び前記目地挿入部３の一側面と同面となるように水平板部２上面の片側に寄せた位置に設けられている。
【００２５】
前記目地挿入部３，４は、使用箇所を誤らないように、それぞれ断面形状を異ならせてある。図示例では一方側を断面略逆Ｌ字状とし、他方を板状としてある。また、使用に当たって、図２(B)に示されるように、目地挿入部３の上面には厚みＡ寸法として設定した寸法（図示例では１０mm）が明示されているとともに、図２(C)に示されるように、目地挿入部４の下面には厚みＢ寸法として設定した寸法（図示例では３mm）が明示されている。更に、前記目地挿入部３の上面には、図２(B)に示されるように、「デッキとデッキのジョイント部の目地調整はこの面を上にして下さい。」の表示が成されているとともに、目地挿入部３の使用箇所を誤らないようにするために、前記水平板部３の下面には、図２(C)に示されるように、「デッキと躯体との目地調整はこの面を上にして下さい。」の表示が成されている。また、利便性を高めるために、水平板部２の側縁には、目盛りが設けられている。
【００２６】
＜その他の形態例＞
(1)前記上下一対の目地挿入部３，４の側面及び前記水平板部２の端面をすべて同面としたが、図３(A)に示されるように、上下一対の目地挿入部３、４の一方側のみ、図示例では目地挿入部３の側面を前記水平板部２の端面と同面としてもよい。
(2)上記形態例では、相対的に目地幅の大きい目地挿入部３については、断面略逆Ｌ字状に成形したが、図３(B)に示されるように、２つの板状部材を所定の離間を空けて平行かつ対面配置した構造としてもよい。
【００２７】
〔デッキ材の取付構造及び目地調整方法〕
次いで、図４〜図１７に基づきデッキ材の取付構造及び目地調整方法について説明する。
【００２８】
デッキの構造は、例えば図４に示されるように、地盤に構築されたコンクリート製基礎又はコンクリート版の上に立設される束材５と、この束材５，５…の上端同士を連結して略水平に設けられた横材としての大引６，６…と、束材５，５…同士を連結する補強材としての根がらみ７と、前記大引６，６…と交差する方向に隣接配置されるデッキ材８，８…と、デッキ材８，８…の側端面に設けられる膜板９（鼻隠し）とから構成される。なお、前記大引６、６…はデッキ材８，８…の配向方向に対して直交する方向に配向される。
【００２９】
前記デッキ材８の敷設方向に対応して、建物の躯体壁面Ｗに沿って前記デッキ材８，８…を敷設した横張りデッキと、建物の躯体壁面に直交する方向に前記デッキ材８，８…を敷設した縦張りデッキとに大別される。
【００３０】
図５は前記縦張りデッキ例の平面図と正面図を示したものである。同図の例は、デッキ材は建物躯体Ｗ側から１列目デッキ材８と、２列目デッキ材８’とにより構成されている。本発明のデッキ目地調整治具１は、この縦張りデッキの敷設に当たり、一列目デッキ材８の小口面と建物躯体Ｗと目地調整（１０mm）と、一列目デッキ材８と２列目デッキ材８’の小口突合わせ部（デッキ材連結部）の目地調整（３mm）に使用されるものである。
【００３１】
次いで、前記デッキ材８、８’の取付け構造について詳述する。
【００３２】
前記デッキ材８、８’は、詳細には図８に示されるように、両側面の下部から幅方向外側に突出する突出片部８Ａ、８Ａを備え、取付けに際して、この突出片部８Ａ、８Ａを固定する連結金具が使用される。使用する連結金具は、端部連結金具１０と中間部連結金具１１の２種類である。
【００３３】
前記端部連結金具１０は、図６に示されるように、大引６の上面に載置される上面部２０と、該上面部２０の長手方向両端部から下方に屈曲された垂下片２１，２１と、上面部２０の片側から立ち上がる湾曲係止片２２とを一体に有する。前記上面部２０と両側の垂下片２１、２１とは、下方に開口するコ字形に連続して、大引６の上方からその大引６に鞍座させることができる。そして、垂下片２１に設けてあるビス貫通孔２１ａからビスを大引６にねじ込むことにより、端部連結金具１０を大引６に固定することができる。
【００３４】
前記端部連結金具１０を大引６に固定するには、上面部２０にビス貫通孔２０ａ、２０ａを設け、そのビス貫通孔２０ａからビスを大引６に向けてねじ込むようにすることもできる。しかし、デッキ材８の突条片部８Ａの先端がそのデッキ材の側面に近い場合は、後述の始端デッキ材８ｓの一端側の側面を大引６の端面に接近させて取付けるときは、上面部２０の幅を大きく取ることが出来ないので、上面部２０から大引６にビスをねじ込むことが困難になる。このような困難を解消するため、図示例のように、前記垂下片２１を設け、この垂下片２１のビス貫通孔２１ａからビスを大引６にねじ込むことが望ましい。このような垂下片２１を設けて大引６に固定する場合は、端部連結金具１０の大引６に対する取付強度が確保される。
【００３５】
前記湾曲係止片２２は、上面部２０から垂直に立ち上がる起立フランジ部２２ａと、この起立フランジ部２２ａの上端から水平に張り出す水平フランジ部２２ｂと、この水平フランジ部２２ｂの先端から略斜め上方向に延びる傾斜片部２２ｃとからなる。前記傾斜片部２２ｃは、基端側で下方側に凸となるように湾曲された下方凸部２３ａと、その下方凸部２３ａから斜め上方向に延在する傾斜面部２３ｂとからなり、前記傾斜面部２３ｂには複数個の、図示例では２個のビス貫通孔２３ｃ、２３ｃが長手方向に離間を空けて形成されている。前記上面部２０を通る水平面から下方凸部２３ａまでの高さは、デッキ材８の突条片部８Ａの先端の厚みよりも若干小さく設定されている。傾斜面部２３ｂにビス貫通孔２３ｃ、２３ｃを設けたのは、後述するように、デッキ材８の側方からビスをビス貫通孔にねじ込み、デッキ材８を大引６に固定するためである。
【００３６】
他方、前記中間連結金具１１は、図７に示されるように、底部３０の一方側側縁から立ち上がる第１湾曲係止片３１と、底部３０の他方側側縁から立ち上る第２湾曲係止片３２とからなる。
【００３７】
前記底部３０は、大引６の上面の幅とほぼ等しい長さを有し、その中央には長手方向に隔てた位置に３つのビス貫通孔３０ａ、３０ａ…が設けられている。
【００３８】
前記第１湾曲係止片３１は前述した端部連結金具１０の湾曲係止片２２と同一の形状及び寸法を有している。すなわち、底部３０から立ち上がる起立フランジ部３３ａと、この起立フランジ部３３ａの上端から水平に張り出す水平フランジ部３３ｂと、この水平フランジ部３３ｂの先端から略斜め上方向に延びる傾斜片部３３ｃとからなる。前記傾斜片部３３ｃは、基端側で下方側に凸となるように湾曲された下方凸部３４ａと、その下方凸部３４ａから斜め上方向に延在する傾斜面部３４ｂとからなり、前記傾斜面部３４ｂには複数個の、図示例では２個のビス貫通孔３４ｃ、３４ｃが長手方向に離間を空けて形成されている。前記底部３０を通る水平面から下方凸部３４ａまでの高さは、デッキ材８の突条片部８Ａの先端の厚みよりも若干小さく設定されている。
【００３９】
前記第２湾曲係止片３２は、前記第１湾曲係止片３１と同様に、底部３０から立ち上がる起立フランジ部３５ａと、この起立フランジ部３５ａの上端から水平に張り出す水平フランジ部３５ｂと、この水平フランジ部３５ｂの先端から略斜め上方向に延びる傾斜片部３５ｃとからなり、前記傾斜片部３５ｃは、基端側で下方側に凸となるように湾曲された下方凸部３６ａと、この下方凸部３６ａから斜め上方向に延在する傾斜面部３６ｂとからなる点は同様であるが、前記傾斜面部３６ｂの突出長が短く、かつビス貫通孔が設けられていない点で相違している。
【００４０】
前記第１湾曲係止片３１の傾斜面部３４ｂにビス貫通孔３４ｃ、３４ｃを設けたのは、図８に示されるように、先行デッキ材８１の突条片部８Ａの隣接位置に前記中間連結金具１１をビス３７によって固定した後、先行デッキ材８１の側方からビス４３をビス貫通孔３４ｃにねじ込み、先行デッキ材８１を固定するためであり、該第１湾曲係止片３１はデッキ材８のビス固定側となる。一方、前記第２湾曲係止片３２は、後行デッキ材８２の凸状片部８Ａをビス止めすることなく、押さえ付けて固定するだけであり、後行デッキ材８２の差込み側となる。
【００４１】
次いで、前述した連結金具１０，１１を用いて大引６にデッキ材８，８…取り付ける手順について説明する。
【００４２】
＜始端デッキ材８ｓ＞
図９に示されるように、まず、大引６の端部上面に端部連結金具１０を固定する。すなわち、両側の垂下片２１，２１を大引６の両側面に当接し、上面部２０を大引６の上面に載せて、各垂下片２１，２１及び／又は上面部２０を大引６にビス４０，４１で固定する。この状態で、端部連結金具１０の湾曲係止片２２の下方凸部２３ａと大引６の上面との間にはデッキ材８の突条片部８Ａの先端の厚肉部の厚みよりも若干薄い差込み空間が形成されている。
【００４３】
次いで、同図に示されるように、大引６の上に始端デッキ材８ｓを大引６の長手方向に対して直角させた状態に載せ、これを端部連結金具１０側に押し付ける。その際に、始端デッキ材８Ｓの突条片部８Ａが端部連結金具１０の湾曲係止片２２の下方凸部２３ａをその弾性に抗して押し上げ、その下方凸部２３ａと大引６の上面との間を通過すると、湾曲係止片２２が弾性により復帰するため、その湾曲係止片２２により始端デッキ８Ｓの突条片部８Ａが係止される。
【００４４】
図１０に示されるように、始端デッキ材８ｓは、前記端部連結金具１０が係止して止められているだけであり、建物躯体Ｗに対して接近／離隔する方向に移動可能となっており、本発明に係るデッキ目地調整治具１を用いて、始端デッキ材８ｓと建物躯体Ｗとの目地を所定幅（１０mm）に調整する。
【００４５】
すなわち、図１１に示されるように、始端デッキ材８ｓの小口面と建物躯体Ｗとの目地間に、目地挿入部３（躯体間目地用）を嵌合させるように前記デッキ目地調整治具１を設置し、目地挿入部３の両側面に夫々、始端デッキ材８ｓの小口面と建物躯体Ｗとが当接するように、始端デッキ材８ｓを部材長手方向に移動調整する。
【００４６】
次に、図１２に示されるように、前記始端デッキ材８ｓの他方側縁（デッキ材並設側）において、中間連結金具１１を大引６の上面に持ち込み、ビス貫通孔３４ｃが形成してある第１湾曲係止片３１を始端デッキ材８ｓの突条片部８Ａの上面に被せるように前記第１湾曲係止片３１の傾斜片部３３ｃをデッキ材８ｓの側面の凹部に嵌合し、その状態で底部３０のビス貫通孔３０ａからビス４２を大引６にねじ込んで中間連結金具１１を大引６に固定するとともに、中間連結金具１１の傾斜片部３３ｃに設けてあるビス貫通孔３４ｃからビス４３を始端デッキ材８ｓにねじ込む。これにより、始端デッキ材８ｓは、幅方向にも長手方向にも移動不能に大引６に固着される。
【００４７】
＜中間デッキ材８m＞
続いて、隣接して二番目以降に取付られるデッキ材である中間デッキ材８m、８m…は、始端デッキ材８ｓの突条片部８Ａを端部連結金具１０の湾曲係止片２２と大引６との間に押し込んで固定したのと同じ要領で、中間連結金具１１の第２湾曲係止片３２に対して押し込んで、該第２湾曲係止片３２を中間デッキ材８ｍの突条片部８Ａに係止させて固定する。そして、中間デッキ材８ｍの他方側縁（デッキ材並設側）において、中間連結金具１１が前述した要領で設置される。
【００４８】
これらの中間デッキ材８ｍ、８ｍ…においても、前記始端デッキ材８ｓと同様の要領によって、ねじ４３によって固定を図る前に、デッキ目地調整治具１により中間デッキ材８ｍ、８ｍ…と建物躯体Ｗとの目地を所定幅（１０mm）に調整する。
【００４９】
＜終端デッキ材８e＞
最後に、終端デッキ材８ｅを大引６に固定するには、図１４に示されるように、先行して取り付けた最後の中間連結金具１１の第２湾曲係止片３２と大引６の上面との間に終端デッキ材８ｅの突条片部８Ａを押し込み、その後、終端デッキ材８ｅの他方側縁において、大引６の上面に端部連結金具１０を持ち込み、湾曲係止片２２を終端デッキ材８ｅ側に向けて載置し、湾曲係止片２２をデッキ材８ｅの突条片部８Ａに係止させ、上面部２０及び／又は垂下片２１，２１からねじ４０，４１を大引６にねじ込んで固定し、デッキ目地調整治具１により終端デッキ材８ｅと建物躯体Ｗとの目地を所定幅（１０mm）に調整した後、第１湾曲係止片２２のビス貫通孔２３ｃを通してビス４３を突条片部８Ａにねじ込んで終端デッキ材８ｅを大引６に固定する。
【００５０】
一列目のデッキ材８，８…の取付けを完了した後、図１５に示されるように、建物躯体Ｗから２列目のデッキ材８’、８’…を取り付ける。その際、２列目のデッキ材８’、８’…は一列目のデッキ材８，８…に対して、所定の目地分を間隙を空けて縦列的に設置する際にも、小口間の目地調整に際して、本発明のデッキ目地調整治具１が使用される。
【００５１】
デッキ材８、８’の連結は、大引６の中心位置で行うようにし、デッキ材８，８’の境界部において、前記端部連結金具１０及び中間連結金具１１を大引６に固定するようにする。この際、図１６に示されるように、デッキ材８とデッキ材８’との間の目地間に、目地挿入部４を嵌合させるようにしながらデッキ目地調整治具１を設置し、目地挿入部４の両側面に夫々、デッキ材８の小口が当接するように、２列目のデッキ材８’を部材長手方向に移動調整した後、連結金具１０，１１のビス貫通孔２３ｃ、３４ｃを通してビス４３をデッキ材８、８’にねじ込んで固定する。
【００５２】
〔他の形態例〕
(1)上記形態例では、縦引きデッキについて詳述したが、図１７に示される横張デッキの場合は、デッキ材８、８’の連結部において、小口間の目地調整に本発明のデッキ目地調整治具１が使用される。
【図面の簡単な説明】
【００５３】
【図１】デッキ目地調整治具１の斜視図である。
【図２】デッキ目地調整治具１を示す、(A)は正面図、(B)は平面図、(C)は底面図、(D)は左側面図である。
【図３】デッキ目地調整治具１の変形例図(A)(B)である。
【図４】デッキ構造を示す要部断面図である。
【図５】縦張りデッキ構造を示す、(A)は平面図、(B)は正面図である。
【図６】端部連結金具１０の斜視図である。
【図７】中間部連結金具１１の斜視図である。
【図８】中間部連結金具１１によりデッキ材固定要領を示す要部断面図である。
【図９】始端デッキ材８mの固定要領を示す要部斜視図である。
【図１０】デッキ材８の小口と建物躯体Ｗとの目地調整要領を示す要部断面図である。
【図１１】デッキ材８の小口と建物躯体Ｗとの目地調整要領を示す、(A)は断面図、(B)は平面図である。
【図１２】始端デッキ材８ｓの取付要領を示す要部斜視図である。
【図１３】中間デッキ材８m、８m…の取付要領を示す要部斜視図である。
【図１４】終端デッキ材８ｅの取付要領を示す要部斜視図である。
【図１５】デッキ材連結部での取付要領を示す要部斜視図である。
【図１６】デッキ材連結部の目地調整要領を示す、(A)は断面図、(B)は平面図である。
【図１７】横張りデッキ構造を示す、(A)は平面図、(B)は正面図である。
【符号の説明】
【００５４】
１…デッキ目地調整治具、２…水平板部、３…目地挿入部（躯体間目地用）、４…目地挿入部（デッキ材間目地用）、５…束柱、６…大引、７…根がらみ、８・８’…デッキ材、８s…始端デッキ材、８m…中間デッキ材、８e…終端デッキ材、１０…端部連結金具、１１…中間部連結金具
【図１】
0005283434.tif 000002
【図２】
0005283434.tif 000003
【図３】
0005283434.tif 000004
【図４】
0005283434.tif 000005
【図５】
0005283434.tif 000006
【図６】
0005283434.tif 000007
【図７】
0005283434.tif 000008
【図８】
0005283434.tif 000009
【図９】
0005283434.tif 000010
【図１０】
0005283434.tif 000011
【図１１】
0005283434.tif 000012
【図１２】
0005283434.tif 000013
【図１３】
0005283434.tif 000014
【図１４】
0005283434.tif 000015
【図１５】
0005283434.tif 000016
【図１６】
0005283434.tif 000017
【図１７】
0005283434.tif 000018